(57)【特許請求の範囲】
【請求項１】
排水溝組立ブロックから形成される，道路や歩道、又はその境界に併設される排水溝であって、
該排水溝を流れる排水の流れと略垂直な方向に、排水を滞水させる関壁を、前記排水溝の一端に備え、
前記排水溝組立ブロックは、上面全面を開口するとともに、その底面に左右対向する側壁を連結する複数の連結梁を有する，断面形状が略Ｕ字形状のブロックであり、前記底面に設けられた複数の連結梁間が開口していて、
前記関壁が設けられた側面には、前記排水溝組立ブロックの下方から上方にかけて開口面積が順に広くなる複数の排水口が形成されていることを特徴とする排水溝。
【請求項２】
排水溝組立ブロックを上下方向に複数段重ねて形成される，道路や歩道、又はその境界に併設される排水溝であって、
前記排水溝を流れる排水の流れと略垂直な方向に排水を滞水させる関壁を、前記排水溝の一端に備え、
前記排水溝組立ブロックは、上面全面を開口するとともに、その底面に左右対向する側壁を連結する複数の連結梁を有する，断面形状が略Ｕ字形状のブロックであり、前記底面に設けられた複数の連結梁間が開口していて、
前記関壁が設けられた側面は、前記排水溝組立ブロックを複数段組み合わせたときに、前記複数段重ねられた排水溝組立ブロックの下段から上段にかけて開口面積が順に広くなる複数の排水口と、前記関壁とにより形成されていることを特徴とする排水溝。
【発明の詳細な説明】
【０００１】
【発明の属する技術分野】
本発明は、道路や歩道、又はその境界に併設される排水溝、及び排水溝を形成する排水溝組立ブロックに関するものである。
【０００２】
【従来の技術】
一般道路や高速道路、公園などの舗装道路では、降雨により雨水が路面上に滞留することを防ぐために、排泄施設として側溝が設けられている。例えば、断面形状がＵ字型や門型の水路を有するコンクリート製の排水溝組立ブロックと、その上部の開口を覆う側溝蓋とからなる排水溝が代表的なものである。
【０００３】
図９から図１１は、従来の排水溝組立ブロックの一例を示す構成図であり、図９は排水溝組立ブロックの構成を示す分解斜視図、図１０は排水溝組立ブロックを組み立てた状態を示す斜視図、図１１は排水溝組立ブロックを組み立てた状態を示す縦断面図である。
【０００４】
図９から図１１において、１０１は車道Ｓの歩道Ｈ側よりに埋設される断面形状が門型の排水溝組立ブロック、１０２は排水溝組立ブロック１０１の開口部を覆うための側溝蓋、１０３は歩道Ｈ側と車道Ｓの境界沿いに設けられた境界ブロックである。
【０００５】
排水溝組立ブロック１０１は、溝部１０１ｆを挟んで対向する左右の側壁１０１ａが形成され、この両側壁１０１ａの上端前後は連結梁１０１ｂによって連結されると共に、両側壁１０１ａの下端間は開放されている。また、この排水溝組立ブロック１０１の上面には、前後の連結梁１０１ｂ間において開口部１０１ｃが形成されており、開口部１０１ｃの両側には蓋受け用の段差部１０１ｄが形成されている。
【０００６】
また、側溝蓋１０２は、排水溝組立ブロック１０１の段差部１０１ｄ上に載置され、開口部１０１ｃを閉蓋するものであり、表面形状が方形に形成され、その一端中央部には排水用切欠部１０２ｂが形成されている。側溝蓋１０２の上面１０２ａは車道Ｓ側から歩道Ｈ側に低く傾斜して形成されており、雨水や埃を上面１０２ａの傾斜により車道Ｓから側溝蓋１０２に導き、排水用切欠部１０２ｂから排水溝組立ブロック１０１内部へ流れ込むようになされている。
【０００７】
さらに、排水溝組立ブロック１０１の側壁１０１ａ上端には、歩道Ｈ側縁に沿って切欠部１０１ｅが形成されており、この切欠部１０１ｅには境界ブロック１０３が設置される。
【０００８】
上記のように構成された、従来の排水溝組立ブロックを組み立てる手順を図９から図１１を用いて説明する。
【０００９】
まず、車道Ｓの歩道Ｈ側よりに排水溝組立ブロック１０１を埋めるための第１の溝を深く、境界ブロック１０３を埋めるための第２の溝を比較的浅く掘削する。
【００１０】
次に、第１の溝の底面部に砕石１０４を敷設し、基礎コンクリート１０５を打設した後、その上に排水溝組立ブロック１０１を第１の溝に沿って連続して固定する。そして、排水溝組立ブロック１０１内の基礎コンクリート１０５上にインバートコンクリート１０６を打設する。
【００１１】
さらに、境界ブロック１０３を歩道Ｈに固定するための第２の溝内に砕石１０７を敷設し、その上に基礎コンクリート１０８を打設した後、境界ブロック１０３を排水溝組立ブロック１０１上部の切欠部１０１ｅ及び基礎コンクリート１０８上に設置する。そして、側溝蓋１０２を排水溝組立ブロック１０１に設けられた段差部１０１ｄ上に載置することにより、開口部１０１ｃを閉蓋する。
【００１２】
そして、このような従来の排水溝組ブロックの組立においては、インバートコンクリート１０６を打設する際に、図１１に示すように、インバートコンクリート１０６に所望の勾配を形成することにより、道路勾配のない所でも排水を可能にすることができ、また、インバートコンクリート１０６を所望の高さにすることにより、水路の深さを自由に設定することができる。
【００１３】
【発明が解決しようとする課題】
しかしながら、従来の排水溝組立ブロックでは、該排水溝組立ブロックの上面が連結梁によって一部覆われているため、インバートコンクリートの打設等、排水溝組立ブロック内部の工事は専用装置により行われていた。また、工事を行う施術者は、インバートコンクリートの表面全体を見ることができず、滑らかな勾配を有する水路を形成することが困難であった。そのため、排水溝組立ブロック内部に流れ込んだ排水やゴミが、コンクリート上の隆起に遮られ、所望の方向に流れないという問題点があった。
【００１４】
さらに、従来は排水溝組立ブロックを固定するための基礎コンクリートと、水路の勾配を可変設定するインバートコンクリートを個別に打設していたので、排水溝組立ブロックの設置作業に手間がかかるという問題点があった。
【００１５】
また、舗装道路等により雨水の地下浸透の少ない都市においては、このような従来の排水溝組立ブロックにより形成された排水溝による排水のみでは、大雨等によって浸水災害が発生する可能性が高いため、一般に、浸水災害の防止策として雨水を一時地下に貯留するための滞水池を建設し、大雨時等には一旦、当該滞水池に排水を貯留し、浸水災害が発生することを防止している。
【００１６】
しかしながら、滞水池を建設するためには、滞水池を建設するための敷地等を確保することが必要であり、都心部等において新たに滞水池を建設することは困難である。また、滞水池に貯留された排水は、晴天時等に操作員の判断によって雨水返送ポンプ等を適宜起動させて排水が行われていたが、このような排水作業は大変煩瑣であり、操作員の負担も大きいという問題があった。
【００１７】
本発明は、上記問題を解消するためになされたものであり、水路の勾配の形成が容易であるとともに、道路に簡易に設置することができ、大雨時等には滞水材としての機能を発揮する排水溝組立ブロック、排水溝を提供することを目的とする。
【００２０】
【課題を解決するための手段】
本発明は、上記目的を達成するためになされたものであり、請求項１に係る排水溝は、排水溝組立ブロックから形成される，道路や歩道、又はその境界に併設される排水溝であって、該排水溝を流れる排水の流れと略垂直な方向に、排水を滞水させる関壁を、前記排水溝の一端に備え、前記排水溝組立ブロックは、上面全面を開口するとともに、その底面に左右対向する側壁を連結する複数の連結梁を有する，断面形状が略Ｕ字形状のブロックであり、前記底面に設けられた複数の連結梁間が開口していて、前記関壁が設けられた側面には、前記排水溝組立ブロックの下方から上方にかけて開口面積が順に広くなる複数の排水口が形成されていることを特徴とするものである。
【００２１】
また、本発明の請求項２にかかる排水溝は、排水溝組立ブロックを上下方向に複数段重ねて形成される，道路や歩道、又はその境界に併設される排水溝であって、前記排水溝を流れる排水の流れと略垂直な方向に排水を滞水させる関壁を、前記排水溝の一端に備え、前記排水溝組立ブロックは、上面全面を開口するとともに、その底面に左右対向する側壁を連結する複数の連結梁を有する，断面形状が略Ｕ字形状のブロックであり、前記底面に設けられた複数の連結梁間が開口していて、前記関壁が設けられた側面は、前記排水溝組立ブロックを複数段組み合わせたときに、前記複数段重ねられた排水溝組立ブロックの下段から上段にかけて開口面積が順に広くなる複数の排水口と、前記関壁とにより形成されていることを特徴とするものである。
【００２２】
【発明の実施の形態】
（実施の形態１）
図１から図３は、本発明の実施の形態１による排水溝組立ブロックを用いた排水溝の組立の一例を示す図であり、図１は本発明の実施の形態１による排水溝組立ブロックの構成を示す斜視図、図２は本発明の実施の形態１による排水溝組立ブロックを用いて排水溝を組み立てた状態を示す斜視図、図３は本発明の実施の形態１による排水溝組立ブロックを用いて排水溝を組み立てた状態を示す縦断面図である。
【００２３】
図１において、排水溝組立ブロック１は、上部全体が開口されている断面形状が略Ｕ字形状のコンクリート製のブロックであり、その底面には開口部１ｃが形成されると共に、開口部１ｃを挟み、左右対向する側壁１ａを連結する４本の連結梁１ｂが等間隔に設けられている。
【００２４】
そして、このような排水溝組立ブロック１を用いた排水溝の設置の一例を、図２に示す。図２において、排水溝は、車道Ｓの歩道Ｈ側よりに埋設された排水溝組立ブロック１と、排水溝組立ブロック１の上部を覆うための側溝蓋２と、歩道Ｈ側と車道Ｓ側の境界沿いに設けられた境界ブロック３とにより形成されている。
【００２５】
側溝蓋２は、その下面の両端部に段差部２ｄが設けられており、両段差部２ｄを排水溝組立ブロック１の両側壁１ａの上端に載置することにより、排水溝組立ブロック１上部を閉蓋するものである。また、側溝蓋２の上面２ａは、車道Ｓ側から歩道Ｈ側に低く傾斜して形成されており、雨水や埃を上面２ａの傾斜により車道Ｓから側溝蓋２に導き、側溝蓋２の中央部に設けられた排水孔２ｂから排水溝組立ブロック１内部へ流れ込むようになされている。さらに、側溝蓋２の上面２ａには、歩道Ｈ側縁に沿って境界ブロック３を設置するための段差部２ｃが形成されている。
【００２６】
次に、上記のように構成された、本発明の実施１の形態による排水溝組立ブロックを用いて排水溝を組み立てる手順を、図２、図３を用いて説明する。
【００２７】
まず、車道Ｓの歩道Ｈ側よりに排水溝組立ブロック１を埋めるための第１の溝を深く、境界ブロック３を埋めるための第２の溝を比較的浅く掘削する。
【００２８】
その後、排水溝組立ブロック１を埋設固定するための第１の溝の底面部に砕石４を轢き、その上に排水溝組立ブロック１を第１の溝に沿って連続して固定する。そして、図３に示すように、排水溝組立ブロック１の底部に、連結梁１ｂを覆うとともに、排水溝組立ブロック１の底面部に所望の勾配を形成するようにコンクリート５を打設する。これによって、従来において一般的に行われていた、基礎コンクリート及び所望の勾配を形成するインバートコンクリートの打設を１度の打設工程により行うことができることとなる。
【００２９】
次に、排水溝組立ブロック１の両側壁１ａの上端に、側溝蓋２の両段差部２ｄを載置することにより、排水溝組立ブロック１上部を閉蓋する。さらに、境界ブロック３を埋設固定するための第２の溝内に砕石６を轢き、その上に基礎コンクリート７を打設した後、境界ブロック３を側溝蓋２の段差部２ｃ及び基礎コンクリート７上に設置する。
【００３０】
上述したように、排水溝組立ブロック１上部全体がオープン構造であることにより、専用装置を用いないで、施術者が排水溝底部を直接見ながらコンクリート５を打設することができるため、容易に、排水溝底部の勾配を調整したり、その表面を滑らかなものとすることができる。従って、排水溝内部に流れ込んだ雨水やゴミ等が、水路の途中で滞留することなく効率良く排水される。
【００３１】
また、排水溝組立ブロックの底部を連結梁により連結し、該連結梁間を開口させていることにより、従来は別工程での打設が必要であった基礎コンクリート及びインバートコンクリートの打設を一度の打設工程で行うことができ、排水溝の設置工程の簡素化を図ることができる。また、排水溝の底面形状を一度のコンクリートの打設工程により形成するので、従来の断面形状が門型のＶＳ型排水溝組立ブロック等を設置する場合に比べ、必要なコンクリート材料を軽減することができ、大変経済的であり、さらに、水路底面のコンクリート強度の強化にもつながる。
【００３２】
なお、排水溝組立ブロックの底部に打設するコンクリート５に、透水性コンクリート材料を用いた場合には、降雨量が多い場合においても、排水溝内部に流れ込んだ雨水等が排水溝組立ブロックの底部に打設されたコンクリート５から地中に浸透し、効率の良い排水を行うことができる。
【００３３】
このように、本発明の実施の形態１による排水溝組立ブロックによれば、上面全面を開口するとともに、その底面部に左右対向する側壁１ａを連結する連結梁１ｂを設け、連結梁１ｂ間を開口部１ｃとしたことにより、施術者が排水溝組立ブロック１の内部工事を直接行うことができるとともに、排水溝組立ブロック１の設置を１度のコンクリートの打設工程により行うことができ、排水溝の設置を容易且つ安価に行うことができる。
【００３４】
なお、本発明の実施の形態１で説明した排水溝組立ブロック１は、４本の連結梁が設けられているものについて説明したが、連結梁の本数には特に限定はなく、２以上の連結梁が設けられ、各連結梁間に任意形状の開口が設けられているものであれば同様の効果を得ることができる。
【００３５】
また、本発明の実施の形態１で説明した排水溝組立ブロック１の代わりに、図４に示す４本の連結梁８ｂが左右の側壁８ａ下部に外付けされている排水溝組立ブロックを使用した場合でも、上述したものと同様の効果を得ることができる。
【００３６】
（実施の形態２）
図５、図６は、本発明の実施の形態２による排水溝組立ブロックを用いた排水溝の組立の一例を示す図であり、図５は本発明の実施の形態２による排水溝組立ブロックの構成を示す斜視図、図６は本発明の実施の形態２による排水溝組立ブロックが連続的に敷設される道路コーナー部分を示す図である。
【００３７】
図５に示すように、排水溝組立ブロック５１は、前記実施の形態１で説明した排水溝組立ブロック１の上下面の形状を台形にしたものである。この本発明の実施の形態２による排水溝組立ブロック５１は、図６（ａ）に示すように連続敷設することにより、道路のコーナ部分に沿って排水溝の設置が可能となる。
【００３８】
また、図６（ｂ）は、側溝蓋５２を図６（ａ）に示した排水溝組立ブロック５１上に設置した状態を示すものであり、側溝蓋５２は、道路のコーナ部分の形状に合わせて弧状に形成されており、側溝蓋５２下面には排水溝組立ブロックの形状（点線部）に合わせて切り欠き部が形成されており、弧状の側溝蓋５２を排水溝組立ブロック５１上に設置することが可能となる。
【００３９】
このように、本発明の実施の形態２による排水溝組立ブロックは、排水溝組立ブロックの上下面形状を台形として該台形形状の排水溝組立ブロックを複数組合わせることにより、道路のコーナ部分であっても道路のコーナの形状に合わせて排水溝を形成することが可能となる。
【００４０】
（実施の形態３）
図７は、本発明の実施の形態３による排水溝組立ブロックが設置された状態の一例を示す図であり、図７（ａ）は、関壁が設けられた位置で、排水溝を流れる排水の流れと垂直な方向に排水溝組立ブロックを切断した場合の断面図であり、図７(ｂ)は、排水溝を流れる排水の流れと平行な方向に排水溝組立ブロックを切断した場合の断面図である。
【００４１】
図７において、排水溝組立ブロック７１は、排水溝組立ブロック７１が形成する排水溝を流れる排水の流れと略垂直な方向であって、該排水溝組立ブロック７１の一方の端にあたる位置に、排水を滞水させる関壁７１ａを備え、関壁７１ａが設けられた面には、排水溝組立ブロック７１の下方から上方にかけて開口面積が順に広くなる排水口７１ｂ、７１ｃ、７１ｄが形成されている。なお、その他の構成要素については、前述した実施の形態１で説明したものと同様であるため、同一の符号を付し、説明を省略する。
【００４２】
次に、上記のように構成される排水溝組立ブロック７１によって形成された排水溝に、大雨等で大量の水が流れ込んだ場合について説明する。
【００４３】
図７（ｂ）中の矢印は、排水溝に大量の水が流れ込んだ場合の水の流れを示すものである。大量の水が排水溝に流れ込み、排水溝を流れる排水の水位が排水口７１ｄにまで達した場合には、関壁７１ａによって排水が滞水されるとともに排水口７１ｂ、７１ｃ、７１ｄからそれぞれ排水が排出される。
【００４４】
このように、一度に大量の水が排水溝に流れ込んだ場合には、関壁７１ａが設けられている部分において排水溝に流れ込んだ排水が一時滞水され、排水口７１ｂ、７１ｃ、７１ｄから排水が下水に排出されることとなるため、下水に大量の排水が一度に流れ込むことなく、大雨等によって発生する浸水災害を防止することができる。
【００４５】
また、図７（ａ）に示すように排水溝組立ブロック７１の下方から上方にかけて開口面積が順に広くなる排水口７１ｂ、７１ｃ、７１ｄを形成することにより、排水溝に流れ込む雨水の水量等に応じて下水に流れ込む排水の水量を調節することが可能となる。すなわち、排水溝に流れ込む水量の増加時には、開口面積が順に広くなる排水口７１ｂ、７１ｃ、７１ｄが順に使用されて下水への排水が行われるため、排水溝の滞水機能を十分に発揮できるとともに、一定量以上の水が排水溝に滞水された場合には、より大きな排水口を使用して排水を下水に排出させるため、排水溝に流れ込む水がオーバーフローすることを防止することができる。また、逆に、排水溝に流れ込む水量の減少時には、排水溝中の水位が徐々に下降するため、排水の排出には、時間の経過とともに、下方に設けられた開口面積が小さい排水口が使用されることとなり、排水溝に流れ込んだ排水が下水に流れ込む時間を遅らせることが可能となる。
【００４６】
なお、本発明の実施の形態３では、排水口を３つ備える排水溝組立ブロックについて説明したが、排水溝組立ブロックが備える排水口の数は特に限定されず、排水溝組立ブロックの下方から上方にかけて開口面積が順に広くなる複数の排水口が形成されているものであれば、本実施の形態と同様の効果を得ることができる。
【００４７】
また、本発明の実施の形態３では、１段の排水溝組立ブロックにより排水溝を形成し、その側面に関壁と開口部を設けるものについて説明したが、これに限定されず、形成された排水溝の側面が、排水溝の下方から上方にかけて開口面積が順に広くなる複数の排水口と関壁とにより形成されているものであれば、例えば、排水溝組立ブロックを２段重ねにし、その上段部に前述した実施の形態１による排水溝組立ブロックのようなブロック底面部に開口を有するブロックを設けて形成した排水溝であっても、本発明と同様の効果を得ることができる。
【００４８】
また、本発明の実施の形態３では、関壁を排水溝組立ブロックにおける排水の流出先の端に設けるものについて説明したが、関壁を設ける位置には特に限定はなく、例えば、関壁を排水溝組立ブロックの中央部に設けた場合であっても、排水溝組立ブロックの下方から上方にかけて開口面積が順に広くなる複数の排水口が形成されているものであれば、本実施の形態と同様の効果を得ることができる。
【００４９】
（実施の形態４）
図８は、本発明の実施の形態４による排水溝の一例を示す図であり、図８（ａ）は、関壁が設けられた位置で、排水溝を流れる排水の流れと垂直な方向に排水溝を切断した場合の断面図であり、図８(ｂ)は、排水溝を流れる排水の流れと平行な方向に排水溝を切断した場合の断面図である。
【００５０】
図８において、本発明の実施の形態３による排水溝は、前述した実施の形態１による排水溝組立ブロックを上下方向に２段重ねしたものであり、下段部の排水溝組立ブロック８１は、排水溝を流れる排水の流れと略垂直な方向であって、該排水溝組立ブロック８１の一方の端にあたる位置に、排水を滞水させる関壁８１ａを備え、関壁８１ａが設けられた面には、排水口８１ｂが形成されている。なお、図中に示されたその他の図番は、前述した実施の形態１と同様のものを示すため、ここでは説明を省略する。
【００５１】
このように形成された排水溝は、結果的として、排水溝を流れる排水の流れと略垂直な側面に２つの排水口８１ｂと排水口８１ｃを有することとなり、その排水口の開口面積の大きさは、下段の排水口の面積が上段の排水口の面積よりも小さいものとなっている。
【００５２】
そして、このように複数段重ねられた排水溝組立ブロックの下段から上段にかけて開口面積が広くなる排水口８１ｂ、８１ｃとを備えることにより、前述した実施の形態３による排水溝組立ブロックにより排水溝を形成した場合と同様に、一度に大量の水が排水溝に流れ込んだ場合であっても、関壁８１ａが設けられている部分において排水溝に流れ込んだ排水が一時滞水されるため、下水に大量の排水が一度に流れ込むことなく、大雨等によって発生する浸水災害を防止することができる。
【００５３】
また、排水溝組立ブロックを複数段重ねて形成された排水溝の下段から上段にかけて開口面積が広くなる排水口８１ｂ、８１ｃを形成しておくことにより、排水溝に流れ込む雨水の水量等に応じて下水に流れ込む排水の水量を調節することが可能となる。すなわち、排水溝に流れ込む水量の増加時には、開口面積が順に広くなる排水口８１ｂ、８１ｃが順に使用されて下水への排水が行われるため、排水溝の滞水機能を十分に発揮できるとともに、一定量以上の水が排水溝に滞水された場合には、より大きな排水口８１ｃを使用して排水を下水に排出させるため、排水溝に流れ込む水がオーバーフローすることを防止することができる。また、逆に、排水溝に流れ込む水量の減少時には、排水溝中の水位が徐々に下降するため、排水の排出には、下方に設けられた開口面積が小さい排水口８１ｂが使用されることとなり、排水溝に流れ込んだ排水が下水に流れ込む時間を遅らせることが可能となる。
【００５４】
なお、本発明の実施の形態４では、排水溝組立ブロックを２段重ねにして形成される排水溝の側面に２つの排水口を備えるものについて説明したが、上下方向に重ねる排水溝組立ブロックの段数、及び形成された排水溝の側面に設けられる排水口の数は、特に限定されず、上下方向に複数段重ねられた排水溝組立ブロックの下段から上段にかけて開口面積が順に広くなる複数の排水口を備える排水溝であれば、本実施の形態と同様の効果を得ることができる。
【００５５】
【発明の効果】
以上のように、本発明にかかる排水溝組立ブロックによれば、排水溝組立ブロック上部全体がオープン構造であることにより、専用装置を用いないで、施術者が排水溝底部を直接見ながらコンクリートを打設することができるため、容易に、排水溝底部の勾配を調整したり、その表面を滑らかなものとすることができる。
【００５６】
また、本発明にかかる排水溝組立ブロックによれば、排水溝組立ブロックの底部を連結梁により連結し、該連結梁間が開口していることにより、従来は別工程での打設が必要であった基礎コンクリート及びインバートコンクリートの打設を一度の打設工程で行うことができ、排水溝の設置工程の簡素化を図ることができる。また、排水溝の底面形状を一度のコンクリートの打設工程により形成するので、従来の断面形状が門型のＶＳ型排水溝組立ブロック等を設置する場合に比べ、必要なコンクリート材料を軽減することができ、大変経済的であり、さらに、水路底面のコンクリート強度の強化にもつながる。
【００５７】
また、本発明にかかる排水溝によれば、該排水溝組立ブロックが形成する排水溝を流れる排水の流れと略垂直な方向に、排水を滞水させる関壁を備え、前記関壁が設けられた側面が、該排水溝組立ブロックの下方から上方にかけて開口面積が順に広くなる複数の排水口と、前記関壁とにより形成されていることにより、一度に大量の水が排水溝に流れ込んだ場合であっても、関壁が設けられている部分において排水溝に流れ込んだ排水が一時滞水され、排水口から徐々に排水が下水に排出されることとなるため、下水に大量の排水が一度に流れ込むことなく、大雨等によって発生する浸水災害を防止することができる。
【図面の簡単な説明】
【図１】本発明の実施の形態１による排水溝組立ブロックの構成を示す斜視図である。
【図２】本発明の実施の形態１による排水溝組立ブロックを組み立てた状態を示す斜視図である。
【図３】本発明の実施の形態１による排水溝組立ブロックを組み立てた状態を示す縦断面図である。
【図４】本発明の実施の形態１による排水溝組立ブロックの別の例を示す斜視図である。
【図５】本発明の実施の形態２による排水溝組立ブロックの構成を示す斜視図である。
【図６】（ａ）本発明の実施の形態２による排水溝組立ブロックが連続的に敷設される道路コーナー部分を示す図である。
（ｂ）側溝蓋を本発明の実施の形態２による排水溝組立ブロック上に設置した状態を示す図である。
【図７】（ａ）本発明の実施の形態３による排水溝組立ブロックが設置された状態の一例を示す横断面図である。
（ｂ）本発明の実施の形態３による排水溝組立ブロックが設置された状態の一例を示す縦断面図である。
【図８】（ａ）本発明の実施の形態４による排水溝の一例を示す横断面図である。
（ｂ）本発明の実施の形態４による排水溝の一例を示す縦断面図である。
【図９】従来の排水溝組立ブロックの構成を示す分解斜視図である。
【図１０】従来の排水溝組立ブロックを組み立てた状態を示す斜視図である。
【図１１】従来の排水溝組立ブロックを組み立てた状態を示す縦断面図である。
【符号の説明】
１、８、５１、７１、１０１  排水溝組立ブロック
２、５２、１０２  側溝蓋
３、５３、１０３  境界ブロック
４、６、１０４，１０７  砕石
５  コンクリート
７１ａ、８１ａ  関壁
７１ｂ、７１ｃ、７１ｄ、８１ｂ、８１ｃ  排出口
７、１０５、１０８  基礎コンクリート
１０６  インバートコンクリート
Ｓ  車道
Ｈ  歩道
【図１】
0003650068.tif 000002
【図２】
0003650068.tif 000003
【図３】
0003650068.tif 000004
【図４】
0003650068.tif 000005
【図５】
0003650068.tif 000006
【図６】
0003650068.tif 000007
【図７】
0003650068.tif 000008
【図８】
0003650068.tif 000009
【図９】
0003650068.tif 000010
【図１０】
0003650068.tif 000011
【図１１】
0003650068.tif 000012